(57)【要約】      （修正有）【課題】簡単な構成でヘッド部材からのジョイント部材の移動を規制することができるシャワーヘッドを提供する。【解決手段】第１開口２０ａ及び第２開口２０ｂを備えるヘッド部材２０と、第１開口２０ａに挿入されてヘッド部材２０に湯水を供給するジョイント部材４０と、第２開口２０ｂに取り付けられて湯水を吐水するカバー部材３０を備えたシャワーヘッド１であって、ジョイント部材４０及びカバー部材３０の一方の部材には、第１係止部４３、６３が設けられ、ジョイント部材４０及びカバー部材３０の他方の部材には、第１係止部４３、６３に係止されて、ヘッド部材２０からの一方の部材の移動を規制する第２係止部６３、４３が設けられている。【選択図】図２
2019146777.tif 000002
【特許請求の範囲】
【請求項１】
第１開口及び第２開口を備えるヘッド部材と、前記第１開口に挿入されて前記ヘッド部材に湯水を供給するジョイント部材と、前記第２開口に取り付けられて湯水を吐水するカバー部材を備えたシャワーヘッドであって、
前記ジョイント部材及び前記カバー部材の一方の部材には、第１係止部が設けられ、
前記ジョイント部材及び前記カバー部材の他方の部材には、前記第１係止部に係止されて、前記ヘッド部材からの前記一方の部材の抜けを規制する第２係止部が設けられていることを特徴とするシャワーヘッド。
【請求項２】
前記第１係止部と前記第２係止部は凹凸の関係で係止される請求項１に記載のシャワーヘッド。
【請求項３】
前記ジョイント部材は、前記第１開口に挿入される筒状部を備え、
前記第１係止部は、前記筒状部の周壁に設けられた凹部であり、
前記第２係止部は、前記カバー部材の内面に設けられた凸部である請求項２に記載のシャワーヘッド。
【請求項４】
前記カバー部材は、カバー本体と、湯水を吐出する吐水部材を備えている請求項１〜３のいずれか一項に記載のシャワーヘッド。
【請求項５】
前記吐水部材は、前記カバー本体を支持して、同カバー本体を前記ヘッド部材に固定している請求項４に記載のシャワーヘッド。
【発明の詳細な説明】
【技術分野】
【０００１】
本発明は、シャワーヘッドに関する。
【背景技術】
【０００２】
シャワーヘッドは、例えば、吐水部が設けられたヘッド部材と、ホースをヘッド部材に連結するためのジョイント部材を有して構成されており、ホースからの湯水は、ジョイント部材内部の通水路を介してヘッド部材内部の通水室に供給されて、吐水部から吐出される。こうしたシャワーヘッドを組み立てる作業では、基端側にホースが取り付けられるジョイント部材の先端部を、ヘッド部材に形成された開口部から挿入して、ジョイント部材をヘッド部材から抜け止め状態に固定する必要がある。
【０００３】
特許文献１には、ヘッド部材にジョイント部材を抜け止め状態に固定する構成が記載されている。
【先行技術文献】
【特許文献】
【０００４】
【特許文献１】特開２００２−３３６１５６号公報
【発明の概要】
【発明が解決しようとする課題】
【０００５】
特許文献１に記載のシャワーヘッドは、内部に通水室が装着されたヘッド部材と、ホースをヘッド部材に連結するためのジョイント部材と、ヘッド部材に取り付けられて吐水部を形成するカバー部材を有している。また、ヘッド部材は、ジョイント部材が挿入される第１開口と、カバー部材が取り付けられる第２開口を有している。シャワーヘッドを組み立てる作業では、ホースが取り付けられたジョイント部材の先端部を第１開口から挿入し、ジョイント部材の先端部に抜止部材を取り付けることによって、ジョイント部材をヘッド部材から抜け止め状態に固定する。その後、第２開口にカバー部材を取り付けると、ホースからの湯水がカバー部材の吐水部から吐出可能な状態とされる。
【０００６】
特許文献１に記載の抜止部材は、リング状に形成されており、ジョイント部材の先端部には、係止溝が形成されている。そして、第１開口から挿入されて第２開口に露出したジョイント部材の先端部の係止溝に、第２開口から挿入した抜止部材を係止することで、ヘッド部材にジョイント部材を抜け止め状態に固定している。
【０００７】
しかし、こうした構成では、ジョイント部材の抜け止めのための抜止部材が別途必要となって部品点数が増えることになる。また、リング状の抜止部材をジョイント部材の係止溝に係止する作業が必要な分、組立作業が複雑になるといった問題がある。
【０００８】
本発明は、上記課題を解決するためになされたものであり、その目的は、簡単な構成でヘッド部材からのジョイント部材の移動を規制することができるシャワーヘッドを提供することである。
【課題を解決するための手段】
【０００９】
上記課題を解決するため、本発明のシャワーヘッドは、第１開口及び第２開口を備えるヘッド部材と、前記第１開口に取り付けられて前記ヘッド部材に湯水を供給するジョイント部材と、前記第２開口に取り付けられて湯水を吐水するカバー部材を備えたシャワーヘッドであって、前記ジョイント部材及び前記カバー部材の一方の部材には、第１係止部が設けられ、前記ジョイント部材及び前記カバー部材の他方の部材には、前記第１係止部に係止されて、前記ヘッド部材からの前記一方の部材の移動を規制する第２係止部が設けられている。
【００１０】
上記の構成によれば、ヘッド部材に形成された第１開口に取り付けられるジョイント部材と、第２開口に取り付けられるカバー部材とが互いに係止することによって、ヘッド部材にジョイント部材とカバー部材が固定される。そのため、ジョイント部材の移動を規制するための移動規制部材を別に設ける必要がなく、シャワーヘッドを構成する部品点数が増加することが抑制される。簡単な構成でヘッド部材からのジョイント部材の移動を規制することができる。
【００１１】
上記の係合構造において、前記第１係止部と前記第２係止部は凹凸の関係で係止されることが好ましい。
上記の構成によれば、ジョイント部材及びカバー部材の一方の部材に凹部を設け、ジョイント部材及びカバー部材の他方の部材に凸部を設けるといった簡単な構成で、ジョイント部材及びカバー部材の移動が規制され、ジョイント部材及びカバー部材がヘッド部材に固定される。これにより、ヘッド部材からのジョイント部材の移動を規制することができる。
【００１２】
上記の係合構造において、前記ジョイント部材は、前記第１開口に挿入される筒状部を備え、前記第１係止部は、前記筒状部の周壁に設けられた凹部であり、前記第２係止部は、前記カバー部材の内面に設けられた凸部であることが好ましい。
【００１３】
上記の構成によれば、ジョイント部材の筒状部が第１開口から挿入されて、カバー部材の内面と凹凸の関係で係止される。そのため、ヘッド部材からのジョイント部材の抜けを規制することができる。また、第１開口に挿入される筒状部に、第１係止部としての凹部が形成されているため、筒状部の外径の大型化が抑制される。そのため、筒状部が挿入される第１開口の大型化が抑制され、ひいてはシャワーヘッドの大型化が抑制される。
【００１４】
上記の係合構造において、前記カバー部材は、カバー本体と、湯水を吐出する吐水部材を備えていることが好ましい。
シャワーヘッドの長期の使用によって、湯水を吐水する吐水部材は他の部材より早く劣化しやすい。上記の構成によれば、カバー部材が、カバー本体と吐水部材を備えているため、先に劣化した吐水部材のみを交換したり、場合によってはカバー本体のみを交換したりすることができる。シャワーヘッドの製品寿命を延ばすことができる。
【００１５】
上記の係合構造において、前記吐水部材は、前記カバー本体を支持して、同カバー本体を前記ヘッド部材に固定していることが好ましい。
上記の構成によれば、吐水部材がカバー部材のヘッド部材への固定手段を兼ねている。そのため、ヘッド部材への固定手段（ネジ部や係合部等）を別途設ける必要がない。シャワーヘッドの構成が簡単になるとともに大型化が抑制される。
【発明の効果】
【００１６】
本発明によれば、簡単な構成でヘッド部材からのジョイント部材の移動を規制することができるシャワーヘッドが得られる。
【図面の簡単な説明】
【００１７】
【図１】シャワーヘッドの分解側面図。
【図２】シャワーヘッドの断面図。
【図３】（ａ）はヘッド部材の斜視図、（ｂ）はヘッド部材の断面図。
【図４】（ａ）はカバー本体の斜視図、（ｂ）はカバー本体の断面図。
【図５】（ａ）は吐水部材の斜視図、（ｂ）は吐水部材の断面図。
【図６】（ａ）はジョイント部材の斜視図、（ｂ）はジョイント部材の断面図。
【図７】（ａ）〜（ｄ）はシャワーヘッドの組立作業について説明する図。
【図８】第１係止部と第２係止部の係止構造について説明する図。
【図９】（ａ）〜（ｄ）はジョイント側係止部とカバー側係止部の変更例について説明する図。
【発明を実施するための形態】
【００１８】
以下、本発明のシャワーヘッドの実施形態について説明する。ここでは、内部に浄水カートリッジが収容され、使用者の操作によって浄水又は原水を選択的に吐出可能な浄水シャワーヘッドを例に挙げて説明する。
【００１９】
図１に示すように、本実施形態のシャワーヘッド１は、ヘッド部１０とグリップ部５０が連結された形状とされている。ヘッド部１０は、ヘッド部材２０、カバー部材３０、及びジョイント部材４０を備えており、ジョイント部材４０の基端側には、浄水カートリッジ８０が取り付けられている。また、グリップ部５０の基端側には、図示しないホースを接続する接続部５１が設けられている。ヘッド部１０のジョイント部材４０とグリップ部５０との螺合によって、グリップ部５０内部に浄水カートリッジ８０が収容されたシャワーヘッド１が構成され、ホースからグリップ部５０内に供給された湯水は、ジョイント部材４０、ヘッド部材２０内を通って、カバー部材３０から吐出される。なお、シャワーヘッド１においてヘッド部１０側を先端側、グリップ部５０側を基端側と言うものとする。また、ヘッド部１０の先端側の部分では、図２の上下を、ヘッド部１０の上下と言うものとする。
【００２０】
図１及び図２に示すように、ヘッド部材２０には、その外殻の大部分を構成するヘッドカバー２１と、浄水又は原水を切り替える切替操作部２２が設けられている。ヘッド部材２０の内部には、浄水又は原水が供給される空間が形成されている。空間内には、浄水及び原水のいずれかが供給される一対の通水路２３、通水路２３からの湯水が供給される通水室２４等が配置されている。通水室２４には、切替操作部２２の回動に追随して移動する図示しない通水孔が形成されており、切替操作部２２の回動操作により、浄水又は原水のいずれかの通水路２３と通水孔が連通して、カバー部材３０から浄水又は原水が吐出される。本実施形態のヘッド部材２０は、ヘッドカバー２１、切替操作部２２、通水路２３、及び通水室２４を有する構成とされている。
【００２１】
図２及び図３（ａ）に示すように、ヘッドカバー２１の基端部には、円筒状の筒状部２６が形成されており、筒状部２６の基端側端縁には円形状の第１開口２０ａが形成されている。筒状部２６の先端側には、下方に向けて開口する第２開口２０ｂが形成されている。
【００２２】
図３（ｂ）に示すように、一対の通水路２３は、各通水路２３の軸線が筒状部２６の軸線と平行となるように配置されて、各通水路２３の基端縁が筒状部２６の先端部まで延びている。また、通水室２４は、その下部が第２開口２０ｂより下方に突出してヘッドカバー２１から露出している。通水室２４は上下方向に延びる略円筒状に形成され、その外周面には雄ネジ部２４ａが形成されている。
【００２３】
図１及び図２に示すように、カバー部材３０には、ヘッド部材２０の第２開口２０ｂに取り付けられるカバー本体６０と、湯水を吐水する吐水部材７０が設けられている。吐水部材７０は、ヘッド部材２０の通水室２４に螺合により取り付けられており、カバー本体６０を下方（カバー本体６０の外方）から支持している。本実施形態のカバー本体６０及び吐水部材７０は、合成樹脂製とされている。
【００２４】
図４（ａ）に示すように、カバー本体６０は、周壁が略上下方向に延びるとともに、基端側の周壁が基端側に向けて倒された形状の略円筒形状に形成されている。ここでは、周壁が倒された形状の部分を延設部６１と言う。カバー本体６０において上方に開口する上方開口６０ａは、ヘッド部材２０の第２開口２０ｂに取り付けられる部分であり、第２開口２０ｂと同形状に形成されている。また、カバー本体６０において下方に開口する下方開口６０ｂは、吐水部材７０により下方から支持される部分であり、円形状に形成されている。下方開口６０ｂの径は、ヘッド部材２０の通水室２４の外径より大きく形成されている。また、図４（ｂ）に示すように、下方開口６０ｂでは、カバー本体６０の周壁の内周面が径方向外方に切り欠かれた形状の段差部６２が下方開口６０ｂの全周に亘って形成されている。
【００２５】
図４（ａ）及び図４（ｂ）に示すように、延設部６１の内面（上側の面）には、上方へ突出するカバー側係止部６３が形成されている。カバー側係止部６３は、延設部６１の内面から上方へ突出する長板状の板状部６３ａと、板状部６３ａの長手方向両端縁から基端側に延びるリブ６３ｂを有する上面視コ字形状に形成されている。また、リブ６３ｂは上方へ行くほど幅狭の側面視三角形状に形成されている。カバー側係止部６３は、後に説明するジョイント部材４０に形成されたジョイント側係止部４３と凹凸の関係で係止されるものである。
【００２６】
図５（ａ）に示すように、吐水部材７０は、円筒形状の筒部７１の下端部に円盤状の吐水部７２が一体に設けられた形状とされている。筒部７１の内径は、ヘッド部材２０の通水室２４の外径とほぼ同一であり、筒部７１の内周面には、通水室２４の外周面に形成された雄ネジ部２４ａと螺合する雌ネジ部７１ａが形成されている。筒部７１の外径は、カバー本体６０の下方開口６０ｂの径より少し小さく形成されている。
【００２７】
吐水部７２は、筒部７１の外径より大径とされ、その結果、吐水部材７０の下端部には、筒部７１の外周から径方向外方へ突出する形状の鍔部７３が、吐水部材７０の全周に亘って形成されている。鍔部７３の径方向外方への突出長は、カバー本体６０の段差部６２における径方向の幅とほぼ同一に形成されている。
【００２８】
図５（ａ）及び図５（ｂ）に示すように、吐水部７２には、吐水部材７０の内外を連通する複数の吐水孔７２ａが貫設されている。本実施形態のカバー部材３０は、カバー本体６０及び吐水部材７０を有する構成とされている。
【００２９】
図１及び図２に示すように、ジョイント部材４０は、円筒状に形成されて、その先端部がヘッド部材２０の第１開口２０ａから筒状部２６内に挿入されてヘッド部材２０に取り付けられている。ジョイント部材４０の内部には、浄水又は原水が供給される空間が形成されており、空間内には、浄水及び原水のいずれかが供給される一対の通水路４１、浄水カートリッジ８０が取り付けられる取付部４２が配置されている。ジョイント部材４０がヘッド部材２０に取り付けられると、ジョイント部材４０内部の浄水用の通水路４１は、ヘッド部材２０内部の浄水用の通水路２３に連通し、ジョイント部材４０内部の原水用の通水路４１は、ヘッド部材２０内部の原水用の通水路２３に連通するように構成されている。これにより、取付部４２に取り付けられた浄水カートリッジ８０を通過した浄水は、ジョイント部材４０及びヘッド部材２０内の浄水用の通水路４１、２３を介して吐水部材７０の吐水孔７２ａから吐出される。また、浄水カートリッジ８０を通過しない原水は、ジョイント部材４０及びヘッド部材２０内の原水用の通水路４１、２３を介して吐水部材７０の吐水孔７２ａから吐出される。本実施形態のジョイント部材４０は、合成樹脂製とされている。
【００３０】
図６（ａ）に示すように、ジョイント部材４０の先端側には、ジョイント部材４０の周壁の一部が軸方向先端側に突出した形状のジョイント側係止部４３が設けられている。ジョイント側係止部４３では、ジョイント部材４０の周壁の一部が延出されてなる板状部４３ａと、板状部４３ａの周方向中間位置から径方向内方へ突出するように延びるリブ４３ｂが形成され、板状部４３ａに対して、径方向内方へ三角形状に切り欠かれた貫通孔４３ｃが形成されている。その結果、図６（ｂ）に示すように、貫通孔４３ｃの基端側端縁には、径方向内方に行くほど先端側に傾斜する傾斜面が形成されているとともに、リブ４３ｂには、側面視三角形状の切欠き４３ｄが形成されている。貫通孔４３ｃと切欠き４３ｄにより、ジョイント側係止部４３には、ジョイント部材４０の外周面から径方向内方へ凹む側面視三角形状の凹部が形成されている。
【００３１】
貫通孔４３ｃの周方向の長さは、カバー側係止部６３の板状部６３ａの長手方向の長さよりやや大きく形成されている。また、板状部４３ａの外周面からのリブ４３ｂの切欠き４３ｄの大きさは、カバー側係止部６３のリブ６３ｂよりやや大きく形成されている。
【００３２】
次に、本実施形態のシャワーヘッド１のヘッド部１０を組み立てる作業について、図７及び図８に従って、カバー側係止部６３及びジョイント側係止部４３の作用とともに説明する。なお、図７（ｂ）〜図７（ｄ）では、ジョイント側係止部４３とカバー側係止部６３との係止状態がわかりやすいように、ヘッド部１０の一部を切り欠いた断面図で示している。
【００３３】
図７（ａ）に示すように、ヘッド部材２０の筒状部２６の第１開口２０ａから、ジョイント部材４０の先端部を挿入する。これにより、ジョイント部材４０内部に設けられた通水路４１が、ヘッド部材２０の筒状部２６の先端部に位置する通水路２３に到達して、通水路２３、４１同士が互いに連通された状態となる。このとき、ジョイント部材４０の先端に形成されたジョイント側係止部４３は、図７（ｂ）に示すように、筒状部２６を通過して、ヘッド部材２０の第２開口２０ｂに露出する態様となっている。
【００３４】
続いて、図７（ｂ）及び図７（ｃ）に示すように、ヘッド部材２０の第２開口２０ｂに、カバー部材３０のカバー本体６０の上方開口６０ａを合わせる。このとき、カバー本体６０の延設部６１の内面に形成されたカバー側係止部６３が、第２開口２０ｂに露出したヘッド部材２０の先端のジョイント側係止部４３に係止される。これにより、ジョイント部材４０のヘッド部材２０からの抜けが規制される。
【００３５】
続いて、図７（ｃ）に示すように、カバー本体６０の下方から吐水部材７０を近づけて、カバー本体６０の下方開口６０ｂから吐水部材７０の筒部７１を挿入する。吐水部材７０の筒部７１の外径は、カバー本体６０の下方開口６０ｂの径より少し小さく形成されているため、筒部７１は下方開口６０ｂからスムーズに挿入される。また、筒部７１の内周面には、通水室２４の外周面に形成された雄ネジ部２４ａと螺合する雌ネジ部７１ａが形成されているため、雄ネジ部２４ａと雌ネジ部７１ａとの螺合により、吐水部材７０がヘッド部材２０に取り付けられる。雄ネジ部２４ａと雌ネジ部７１ａとの螺合が進むと、カバー本体６０の下方開口６０ｂに形成された段差部６２に、吐水部材７０に形成された鍔部７３が係止し、カバー本体６０が吐水部材７０によって下方（外方）から支持される。これにより、図７（ｄ）に示すように、ジョイント部材４０とカバー部材３０がヘッド部材２０に固定される。ジョイント部材４０がヘッド部材２０から抜け止め状態で固定されたヘッド部１０が得られる。
【００３６】
図７（ａ）に示すように、ジョイント部材４０は、ヘッドカバー２１の筒状部２６の軸方向に沿うように挿入される。また、図８に示すように、ジョイント側係止部４３は、ジョイント部材４０の周壁から径方向内方へ凹む側面視三角形状に形成され、カバー本体６０の延設部６１の内面には、上方へ突出するカバー側係止部６３が形成されている。そのため、ジョイント側係止部４３とカバー側係止部６３とは、ジョイント部材４０の軸方向の移動を規制するように係止されることになる。これにより、カバー本体６０の上方開口６０ａをヘッド部材２０の第２開口２０ｂに合わせて支持するだけで、ジョイント側係止部４３にカバー側係止部６３が係止されて、ヘッド部材２０からのジョイント部材４０の抜けが規制される。
【００３７】
上記実施形態によれば、以下の効果を奏する。
（１）上記実施形態のシャワーヘッド１は、ヘッド部材２０の第１開口２０ａにジョイント部材４０の先端部が挿入され、ヘッド部材２０の第２開口２０ｂにカバー部材３０が取り付けられる。このとき、ジョイント部材４０に設けられたジョイント側係止部４３に、カバー部材３０のカバー本体６０に設けられたカバー側係止部６３が係止して、ジョイント部材４０のヘッド部材２０からの抜けが規制される。ヘッド部１０を構成する部材に抜けを規制する構成を設けるといった簡単な構成で、ヘッド部材２０からのジョイント部材４０の移動を規制することができる。抜け止めのための別部材を必要とせず、部材点数の増加を抑制することができるとともに、組立作業を簡略化することができる。
【００３８】
（２）ジョイント側係止部４３はジョイント部材４０の周壁から径方向内方へ凹んだ凹部であり、カバー側係止部６３はカバー本体６０の延設部６１の内面に設けられた凸部である。ジョイント側係止部４３とカバー側係止部６３は凹凸の関係で係止されるものである。そのため、既存の部材に凹凸を設けるといった簡単な構成でヘッド部材２０からのジョイント部材４０の移動を規制することができる。
【００３９】
（３）ジョイント部材４０は、軸方向に移動してヘッドカバー２１の筒状部２６内に挿入されるものであり、ジョイント側係止部４３は、筒状のジョイント部材４０の周壁の径方向内方へ凹む凹部である。そのため、ジョイント部材４０が大径化することが抑制される。また、ジョイント部材４０が挿入されるヘッドカバー２１の筒状部２６が大径化することが抑制される。部材の大型化が抑制され、その結果、シャワーヘッドの大型化が抑制される。
【００４０】
（４）湯水が吐水される吐水部材７０は、長期の使用によって吐水孔７２ａが目詰まりしたりするため、定期的に目詰まりを解消する必要があり、カバー本体６０に比べて早く交換する頻度が高くなる場合がある。この点、上記実施形態のシャワーヘッド１では、カバー部材３０が、カバー本体６０と吐水部材７０を備えているため、吐水部材７０のみを交換することが可能である。カバー部材の製品寿命を延ばすことができ、その結果、シャワーヘッドの製品寿命を延ばすことができる。
【００４１】
（５）上記実施形態のシャワーヘッド１は、カバー本体６０の下方開口６０ｂに段差部６２が形成され、吐水部材７０に形成された鍔部７３が段差部６２に係止することで、吐水部材７０がカバー本体６０を下方から支持する。つまり、吐水部材７０がカバー本体６０のヘッド部材２０への固定手段を兼ねていることになる。そのため、カバー本体６０にヘッド部材２０への固定手段を設ける必要がなく、カバー本体６０の大型化を抑制することができる。
【００４２】
（６）カバー部材３０の吐水部材７０は、筒部７１の内周面に形成された雌ネジ部７１ａが、ヘッド部材２０の通水室２４の外周面に形成された雄ネジ部２４ａと螺合することによってヘッド部材２０（通水室２４）に取り付けられる。そのため、取付け作業が容易であり、ヘッド部１０の組立作業を効率化することができる。
【００４３】
（７）ヘッド部１０の組立作業では、ジョイント部材４０がヘッド部材２０の筒状部２６内に挿入されて通水路２３、４１同士が連通された状態では、ジョイント側係止部４３は、第２開口２０ｂに露出する態様となっている。そのため、ジョイント側係止部４３に対してカバー側係止部６３を容易に係止することができ、ヘッド部１０の組立作業がし易い。
【００４４】
（８）カバー側係止部６３は、延設部６１の内面から上方へ突出する長板状の板状部６３ａと、板状部６３ａの長手方向両端縁から基端側に延びるリブ６３ｂを有する上面視コ字形状に形成されている。そのため、リブ６３ｂにより、板状部６３ａが補強されている。また、カバー側係止部６３全体が中実状の断面三角形状の凸部として形成されている場合に比べて、樹脂の肉厚が薄くなり、成形時のヒケの発生が抑制される。
【００４５】
（９）ジョイント側係止部４３には、板状部４３ａの周方向中間位置から径方向内方へ突出するように延びるリブ４３ｂが設けられている。そのため、板状部４３ａだけの場合に比べてジョイント側係止部４３の強度が向上する。また、板状部４３ａとリブ４３ｂとの構成により、その肉厚が薄くなり、成形時のヒケの発生が抑制される。
【００４６】
上記実施形態は、次のように変更できる。なお、上記実施形態及び以下の変更例は、技術的に矛盾しない範囲で互いに組み合わせて適用することができる。
・上記実施形態では、ジョイント部材４０に凹状のジョイント側係止部４３が形成され、カバー部材３０に凸状のカバー側係止部６３が形成されているが、ジョイント側係止部４３を凸状とし、カバー側係止部６３を凹状としてもよい。例えば、図９（ａ）に示すように、ジョイント部材４０の先端縁から軸方向に延びるジョイント側係止部４３の先端に、径方向外方に突出する凸部を形成する。また、カバー本体６０の延設部６１を肉厚にして、肉厚部分に径方向内方に凹む凹部としてのカバー側係止部６３を形成する。こうした構成によっても、ジョイント側係止部４３の凸部がカバー側係止部６３の凹部に係止し、ヘッド部材２０に、ジョイント部材４０及びカバー部材３０を固定することができる。
【００４７】
・また、図９（ｂ）に示すように、ジョイント部材４０の先端縁から軸方向に延びるジョイント側係止部４３の先端に、径方向内方に突出する凸部を形成し、カバー本体６０の延設部６１を肉厚にして、肉厚部分に、ジョイント側係止部４３が挿入可能な凹部としてのカバー側係止部６３を形成してもよい。こうした構成によれば、ジョイント部材４０の軸方向の移動が規制されるとともに、カバー本体６０の上下方向の移動が規制される。これにより、ヘッド部材２０からのジョイント部材４０の抜けが規制されるとともに、カバー本体６０の抜けも規制される。
【００４８】
・上記実施形態では、ジョイント側係止部４３は、ジョイント部材４０の周壁の一部が軸方向先端側に突出した形状で形成されているが、図９（ｃ）に示すように、ジョイント部材４０の筒状の部分に凹状のジョイント側係止部４３を形成してもよい。
【００４９】
・上記実施形態では、ジョイント側係止部４３は、ジョイント部材４０の先端部に形成されているが、その形成位置はこれに限定されない。例えば、ジョイント部材４０を長く形成し、ジョイント側係止部４３がジョイント部材４０の軸方向中間部に形成されていてもよい。この場合、ヘッド部材２０内部の通水路２３、通水室２４と干渉しない程度にジョイント部材４０の位置を決めればよい。
【００５０】
・カバー側係止部６３は複数に分割された形状であってもよい。例えば、図９（ｄ）に示すように、同形状のカバー側係止部６３が２個並設されていてもよい。
・カバー側係止部６３の形状は適宜変更することができる。上面視コ字状でなくてもよい。例えば、板状部６３ａの両端部だけでなく、中間部にも１乃至複数のリブ６３ｂが形成されていてもよい。また、リブ６３ｂが設けられていなくてもよい。或いは、側面視三角形状の中実体であってもよい。
【００５１】
・カバー側係止部６３の側面形状は三角形状でなくてもよい。四角形状であっても、半円形状であっても、不定形状であってもよい。この場合、カバー側係止部６３と係止するジョイント側係止部４３の形状を、カバー側係止部６３の形状に応じて適宜変更すればよい。
【００５２】
・上記実施形態では、カバー側係止部６３は、カバー本体６０の延設部６１に形成されているが、カバー本体６０ではなく、吐水部材７０に形成されていてもよい。
・吐水部材７０の筒部７１の内周面には雌ネジ部７１ａが形成されて、通水室２４の外周面に形成された雄ネジ部２４ａと螺合することにより、吐水部材７０がヘッド部材２０に取り付けられるが、螺合以外の手段で取り付けられていてもよい。例えば、吐水部材７０の筒部７１の内周面に係合部を形成し、通水室２４の外周面の被係合部と係合するようにしてもよい。或いは、吐水部材７０にネジ孔を形成し、ネジ孔にネジを螺入することにより通水室２４に取り付けてもよい。
【００５３】
・吐水部材７０は、通水室２４に取り付けられなくてもよい。ヘッド部材２０を構成する他の部材に取り付ける構成であってもよい。
・本実施形態のヘッド部材２０は、ヘッドカバー２１、切替操作部２２、通水路２３、及び通水室２４を有する構成とされているが、他の構成を有していてもよい。また、通水室２４が取り外し可能であり、ヘッド部１０の組立作業の際にヘッドカバー２１内に組み付けるように構成されていてもよい。
【００５４】
・本実施形態のカバー部材３０は、カバー本体６０、及び吐水部材７０を有する構成とされているが、他の構成を有していてもよい。また、カバー本体６０と吐水部材７０が一体の構成であってもよい。この場合、カバー部材３０を螺合以外の手段でヘッド部材２０に取り付けることが好ましい。
【００５５】
・ジョイント側係止部４３とカバー側係止部６３による係止構造は、本実施形態の浄水シャワーヘッドだけでなく、他のシャワーヘッドに適用することができる。例えば、本実施形態のシャワーヘッド１の構成部材を参照して説明すると、ヘッド部材２０とグリップ部５０が一体に形成されるとともに、円筒状に形成されたグリップ部５０の基端縁には挿入孔が形成され、ホースが接続されるジョイント部材４０をグリップ部５０の挿入孔から挿入することによって、ホースをヘッド部材２０に連結するような構成のシャワーヘッドであってもよい。この場合も、ジョイント部材４０に設けられたジョイント側係止部４３に、カバー部材３０に設けられたカバー側係止部６３を係止することにより、ジョイント部材４０を抜け止め状態にヘッド部１０に取り付けることができる。なお、ジョイント部材４０に接続されるホースは、例えば、ジョイント部材４０の基端縁に形成された接続部に接続される態様であってもよく、ジョイント部材４０の外径がホースの内径よりやや大きく形成されていてホースをジョイント部材４０に外嵌することによって接続される態様であってもよい。
【符号の説明】
【００５６】
１…シャワーヘッド、１０…ヘッド部、２０…ヘッド部材、２０ａ…第１開口、２０ｂ…第２開口、２１…ヘッドカバー、３０…カバー部材、４０…ジョイント部材、４３…ジョイント側係止部、６０…カバー本体、６３…カバー側係止部、７０…吐水部材。
【図１】
2019146777.tif 000003
【図２】
2019146777.tif 000004
【図３】
2019146777.tif 000005
【図４】
2019146777.tif 000006
【図５】
2019146777.tif 000007
【図６】
2019146777.tif 000008
【図７】
2019146777.tif 000009
【図８】
2019146777.tif 000010
【図９】
2019146777.tif 000011